(57)【要約】【課題】良好な視認性の実現、および操作性の向上を図った電子機器を提供することを目的とする。【解決手段】本発明にかかる電子機器の代表的な構成は、第１表示部１１０と、第１表示部１１０とは異なる面に配置される第２表示部１２０と、第１表示部１１０に少なくともアクティブアプリケーションに基づく第１の表示領域１６０を表示させ、第２表示部１２０に少なくとも他のアプリケーションに基づく第２の表示領域１７０を複数配列して表示させる表示制御部２０４と、を備え、表示制御部２０４は、複数の第２の表示領域を各々異なる態様で表示させることを特徴とする。【選択図】図４
2010231464.tif 000002
【特許請求の範囲】
【請求項１】
第１表示部と、
前記第１表示部とは異なる面に配置される第２表示部と、
前記第１表示部に少なくともアクティブアプリケーションに基づく第１の表示領域を表示させ、前記第２表示部に少なくとも他のアプリケーションに基づく第２の表示領域を複数配列して表示させる表示制御部と、
を備え、
前記表示制御部は、前記複数の第２の表示領域を各々異なる態様で表示させることを特徴とする電子機器。
【請求項２】
前記表示制御部は、前記第２表示部に前記アクティブアプリケーションに基づく第３の表示領域をさらに表示させることを特徴とする請求項１に記載の電子機器。
【請求項３】
前記表示制御部は、前記他のアプリケーションの数に応じて前記第２の表示領域の各面積を異ならせることを特徴とする請求項１または２に記載の電子機器。
【請求項４】
前記第２の表示領域は所定の方向に配列される帯状表示領域であることを特徴とする請求項１または２に記載の電子機器。
【請求項５】
前記第２の表示領域は所定の方向に配列される帯状表示領域であり、
前記表示制御部は、前記第２の表示領域よりも前記第３の表示領域を幅広に表示させることを特徴とする請求項２に記載の電子機器。
【請求項６】
前記第２の表示領域と前記第３の表示領域の各領域に対応する複数のＬＥＤをさらに備え、
前記表示制御部は、前記第３の表示領域に対応するＬＥＤを発光させることを特徴とする請求項２に記載の電子機器。
【請求項７】
操作部をさらに備え、
前記表示制御部は、前記操作部の操作に基づいて当該電子機器において実行可能なアプリケーションのうち選択されたアプリケーションを前記第２の表示領域に表示させることを特徴とする請求項１または２に記載の電子機器。
【請求項８】
各アプリケーションの使用頻度を検出する使用頻度検出部をさらに備え、
前記表示制御部は、前記使用頻度検出部により検出される使用頻度に基づいて、使用頻度の高いアプリケーションを前記他のアプリケーションとして前記第２の表示領域に表示させることを特徴とする請求項１または２に記載の電子機器。
【請求項９】
操作部をさらに備え、
前記表示制御部は、前記操作部の操作に基づいて前記第２の表示領域の全ての表示領域の態様を一括して変更させることを特徴とする請求項１または２に記載の電子機器
【請求項１０】
複数のスキンデータを記憶するスキンデータ記憶部をさらに備え、
前記スキンデータのうち前記操作部の操作に基づいて選択されたスキンデータにより、全ての表示領域の態様を変更して表示させることを特徴とする請求項９に記載の電子機器
【請求項１１】
前記表示制御部は、外部からの着信時または受信時に、前記第２表示部にその旨を表示させることを特徴とする請求項１または２に記載の電子機器。
【発明の詳細な説明】
【技術分野】
【０００１】
格納されたアプリケーションを表示することが可能な電子機器に関する。
【背景技術】
【０００２】
近年、携帯電話やＰＨＳ（Personal Handy phone System）、ＰＤＡ（Personal Digital Assistant）などに代表される電子機器は、小型化と軽量化に加えて高機能化が進行している。その結果、通話やメールといった通信関連の機能のみでなく、カメラ、音楽再生、テレビジョンなど、コンピュータに匹敵するほどの機能が取り込まれてきている。
【０００３】
このような高機能化に伴って、様々なアプリケーションを快適に使用するために、表示領域の大画面化の要請がある。しかし、小型化が進行している電子機器において筐体の面積は制限される傾向にあるため、表示領域の大画面化を図れば、必然的に操作部に割り当てられる面積が減少してしまう。このため、同じ操作キーにいくつもの機能を兼用させたり、メニューの階層を深くしたりしなければならず、操作性の低下を招くこととなる。
【０００４】
このような問題に対応すべく、特許文献１には、２つの画面（液晶ディスプレイ）を開閉可能に装備し、開くことによって２画面を連接および連動させることにより、表示面積の大型化と装置サイズの小型化を両立させた画像表示装置が開示されている。また、特許文献２には、画面（情報表示画面）と同じ面に第１のタッチセンサを有し、反対側の面に第２のタッチセンサを有することにより、第２のタッチセンサを指紋認証などのための補助入力手段として用いる技術が開示されている。
【先行技術文献】
【特許文献】
【０００５】
【特許文献１】特開２００７−０７９１５７号公報
【特許文献２】特開２００７−１４１０２９号公報
【発明の概要】
【発明が解決しようとする課題】
【０００６】
しかし上記特許文献１の構成にあっては、アプリケーション動作画面を（収納時の）装置サイズに比して大きくすることはできるものの、単に表示面積を増やしたに過ぎない。また特許文献２の構成にあっては、従来利用されていなかった裏面に入力手段を配置してはいるものの、裏面の入力手段を表面の入力手段の補助として用いて操作性の向上を図ったに過ぎない。すなわち、表示領域の大画面化と操作性の向上といった相反する要請を解決するものではない。
【０００７】
本発明は、このような課題に鑑みてなされたものであり、良好な視認性の実現、および操作性の向上を図った電子機器を提供することを目的とする。
【課題を解決するための手段】
【０００８】
上記課題を解決するために本発明にかかる電子機器の代表的な構成は、第１表示部と、第１表示部とは異なる面に配置される第２表示部と、第１表示部に少なくともアクティブアプリケーションに基づく第１の表示領域を表示させ、第２表示部に少なくとも他のアプリケーションに基づく第２の表示領域を複数配列して表示させる表示制御部と、を備え、表示制御部は、複数の第２の表示領域を各々異なる態様で表示させることを特徴とする。
【０００９】
表示制御部は、第２表示部にアクティブアプリケーションに基づく第３の表示領域をさらに表示させてもよい。
【００１０】
表示制御部は、他のアプリケーションの数に応じて第２の表示領域の各面積を異ならせてもよい。
【００１１】
第２の表示領域は所定の方向に配列される帯状表示領域であってもよい。
【００１２】
第２の表示領域は所定の方向に配列される帯状表示領域であり、表示制御部は、第２の表示領域よりも第３の表示領域を幅広に表示させてもよい。
【００１３】
当該電子機器は、第２の表示領域と第３の表示領域の各領域に対応する複数のＬＥＤをさらに備え、表示制御部は、第３の表示領域に対応するＬＥＤを発光させてもよい。
【００１４】
当該電子機器は、操作部をさらに備え、表示制御部は、操作部の操作に基づいてこの電子機器において実行可能なアプリケーションのうち選択されたアプリケーションを第２の表示領域に表示させてもよい。
【００１５】
当該電子機器は、各アプリケーションの使用頻度を検出する使用頻度検出部をさらに備え、表示制御部は、使用頻度検出部により検出される使用頻度に基づいて、使用頻度の高いアプリケーションを他のアプリケーションとして第２の表示領域に表示させてもよい。
【００１６】
当該電子機器は、操作部をさらに備え、表示制御部は、操作部の操作に基づいて第２の表示領域の全ての表示領域の態様を一括して変更させてもよい。
【００１７】
当該電子機器は、複数のスキンデータを記憶するスキンデータ記憶部をさらに備え、スキンデータのうち操作部の操作に基づいて選択されたスキンデータにより、全ての表示領域の態様を変更して表示させてもよい。
【００１８】
表示制御部は、外部からの着信時または受信時に、前記第２表示部にその旨を表示させてもよい。
【発明の効果】
【００１９】
本発明によれば、良好な視認性の実現、および操作性の向上を図った電子機器を提供することができる。
【図面の簡単な説明】
【００２０】
【図１】第１実施形態にかかる携帯電話の外観を説明する６面図である。
【図２】第１実施形態にかかる携帯電話の概略的な機能を示すブロック図である。
【図３】第１施形態にかかる携帯電話の第１表示部および第２表示部のアクティブアプリケーション非選択時の表示を説明する図である。
【図４】メール受信時または着信時のポップアップ表示を説明する図である。
【図５】第１実施形態にかかる携帯電話のアクティブアプリケーションの切替を説明する図である。
【図６】第１施形態にかかる携帯電話の第１表示部および第２表示部のアクティブアプリケーション選択時の表示を説明する図である。
【図７】タッチセンサを用いて休止状態からの復帰判定を行う例を示す図である。
【図８】第２実施形態にかかる携帯電話の概略的な機能を示すブロック図である。
【図９】第２実施形態にかかる携帯電話のアクティブアプリケーションの切替を説明する図である。
【図１０】第２施形態にかかる携帯電話の第１表示部および第２表示部のアクティブアプリケーション選択時の表示を説明する図である。
【図１１】タッチセンサへの接触の摺動によりアクティブアプリケーションの切替を行う様子を示す図である。
【図１２】アクティブアプリケーションの他の切替方法を説明する図である。
【発明を実施するための形態】
【００２１】
以下に添付図面を参照しながら、本発明の好適な実施形態について詳細に説明する。係る実施形態に示す寸法、材料、その他具体的な数値等は、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、又、本発明に直接関係のない要素は図示を省略する。
【００２２】
［第１実施形態］
本発明にかかる電子機器の第１実施形態である携帯電話１００について説明する。なお、本実施形態においてアクティブアプリケーションとは、電子機器を操作した場合に、その操作が入力されるアプリケーションである。また、まだ実際には動作していない状態であっても、すなわちそのアプリケーションを起動するアイコン（コマンド）やショートカットメニューが操作入力を受け付ける状態であれば、アクティブアプリケーションに包含するものとする。また本実施形態において非アクティブアプリケーション（他のアプリケーション）とは、操作が入力される状態にないアプリケーションであって、実行されていないアプリケーションおよびバックグラウンドで実行されているアプリケーションを包含するものとする。
【００２３】
（外観構成)
図１は第１実施形態にかかる携帯電話１００の外観を説明する６面図である。図１に示す携帯電話１００は、筐体の１つの面に配置された第１表示部１１０と、第１表示部１１０と反対側の面に配置され、第１表示部１１０と略同じ表示面積を有する第２表示部１２０とを備えている。第１表示部１１０には、透明なタッチセンサ１３２が重畳されている（本実施形態において第２表示部１２０にはタッチセンサが重畳されていない）。
【００２４】
第１表示部１１０と第２表示部１２０とは長辺において湾曲し、それぞれが連接することによって筐体の外周を巻回するように配置されている。そして筐体の外形（表面においてはタッチセンサ１３２が外形を構成している）は、第１表示部１１０および第２表示部１２０が湾曲する方向を含む断面の形状が略楕円形となっている。すなわち第１表示部１１０と第２表示部１２０とによって全体的に平たい筒のような形状となっている。この筒の両端には、端部部材１１４、１１６が備えられている。
【００２５】
なお、略楕円形とは正確な楕円（円も含む）のほか、正確な楕円以外の形状も含む。例えば、端部が全体的に丸みを帯びた形状である、主表面が平坦であって端部が半円を描く長丸形状、さらに長丸形状の主表面の中央部が膨出した形状、楕円形を短軸又は長軸方向につぶした形状も略楕円形に含まれるものとする。
【００２６】
端部部材１１４、１１６は、光透過部１１８を介して、第１表示部１１０および第２表示部１２０と連接している。光透過部１１８は、筐体内部に設けられた発光部１５２（図２参照）からの光を透過させ、外部へと導く。
【００２７】
端部部材１１４の第１表示部１１０と連接する面には、カメラ１４０が備えられている。また、筐体の１つの側面に当たる端部部材１１４の端面には、音声出力部１４２および電源ボタン１４６が備えられている。この端部部材１１４の端面と対向して配置される端部部材１１６の端面には、音声入力部１４４が備えられている。このように、音声出力部１４２および音声入力部１４４を端部部材１１４、１１６の端面（筐体の側面）に配置することにより、通話する際には筐体の表裏に関係なく把持することができる。
【００２８】
また、筐体の短手方向の略中央部分における端部部材１１４および端部部材１１６の光透過部１１８近傍には、筐体内部に設けられたステレオスピーカ１５０（図２参照）から発せられた音を、筐体内部から筐体外部に出力するための放音口１４８ａ、１４８ｂ、放音口１４８ｃ、１４８ｄがそれぞれ形成されている。
【００２９】
放音口１４８ａ、１４８ｂ、１４８ｃ、１４８ｄには、ステレオスピーカ１５０から発せられた音を誘導する導音路（図示せず）が連結されており、それぞれより音を均等に発することが可能である。
【００３０】
（機能構成）
図２は第１実施形態にかかる携帯電話１００の概略的な機能を示すブロック図である。図２に示すように、携帯電話１００は、第１表示部１１０、第２表示部１２０、操作部１３０、カメラ１４０、音声出力部１４２、音声入力部１４４、ステレオスピーカ１５０、発光部１５２、制御部２００、無線通信部２１０、記憶部２２０より構成される。
【００３１】
制御部２００は、中央処理装置（ＣＰＵ）を含む半導体集積回路により携帯電話１００全体を管理および制御する。具体的には、例えば、通話機能、文字入力機能、音楽再生機能、ＴＶ視聴機能などを担う記憶部２２０に格納されたアプリケーションや、通信網を介してアプリケーション中継サーバ（図示せず）から提供されるＷｅｂブラウザやスケジュール管理などのアプリケーションを実行する。制御部２００は、表示制御部２０４を含んで構成される。
【００３２】
表示制御部２０４は、第１表示部１１０および第２表示部１２０に表示させる画面を制御する。具体的には、第１表示部１１０にアクティブアプリケーションに基づく第１の表示領域１６０を表示させる。そして、第２表示部１２０にアクティブアプリケーションに基づく第３の表示領域１８０と、アクティブアプリケーションへ切り替えられ得る非アクティブアプリケーション（他のアプリケーション）に基づく第２の表示領域１７０を表示させる。なお、各第２の表示領域１７０は、個々の非アクティブアプリケーションに基づくものであって、複数配列して表示され得る。
【００３３】
表示制御部２０４は、複数の第２の表示領域１７０を、各々異なる態様で表示させる。本実施形態において、態様とは、色彩の違い、ドット柄やしま模様等の背景模様の違い、字体の違いなどを包含するものとする。なお、詳しい内容については、後程説明するものとする。
【００３４】
記憶部２２０は、ＲＯＭ、ＲＡＭ、ＥＥＰＲＯＭ、不揮発性ＲＡＭ、フラッシュ記憶部、ＨＤＤ等で構成され、制御部２００（表示制御部２０４）で処理されるプログラムやその他のデータファイル等を記憶する。記憶部２２０はスキンデータ記憶部２２２を包含している。
【００３５】
スキンデータ記憶部２２２は、複数のスキンデータを記憶している。スキンデータとは、アプリケーションのウィンドウや文字、ボタンなどの外見（態様）を定義したデータのことである。操作部１３０の操作に基づいてスキンデータが選択されると、そのスキンデータに基づいて、第１の表示領域１６０、第２の表示領域１７０、第３の表示領域１８０の態様が一括して変更される。
【００３６】
第１表示部１１０および第２表示部１２０は、例えば樹脂基板上にトランジスタを形成したＴＦＴ液晶ディスプレイ（Thin Film Transistor Liquid Crystal Display）、有機ＥＬディスプレイ(organic Electro Luminescence Display)、コレステリック液晶ディスプレイ（Cholesteric Liquid Crystal Display）等で構成することができる。本実施形態では、第１表示部１１０および第２表示部１２０には、ＴＦＴ液晶ディスプレイを用いる。第１表示部１１０および第２表示部１２０は、表示制御部２０４に制御され、画面を表示する。
【００３７】
操作部１３０は、いわゆる情報入力手段であり、キーボード、十字キー、ジョイスティック等の可動スイッチで構成される。本実施形態では、表示部の大画面化と、操作性の向上を両立するために操作部１３０として、タッチセンサ１３２を包含している。
【００３８】
タッチセンサ１３２は、透明または半透明の素材で形成され、第１表示部１１０を視認可能に重畳される。本実施形態では、特にタッチセンサ１３２として、第１表示部１１０表面に取り付けるいわゆるタッチスクリーン型を採用している。タッチスクリーン型の接触の感知方法としては、圧力の変化を感知する感圧式と静電気による電気信号を感知する静電容量の２通りがある。
【００３９】
タッチセンサ１３２は、第１表示部１１０との組合せにより入力インターフェースを構成する。かかる入力インターフェースは、キーボード、十字キー、ジョイスティックといった上記の操作キーに対応した機能を奏する。なお、第２表示部１２０にもタッチセンサ１３２を重畳して、入力インターフェースを構成させることも可能である。
【００４０】
本実施形態において、この操作部１３０の操作に基づいて（操作部１３０の操作により表示制御部２０４を設定して）、第２の表示領域１７０として第２表示部１２０に表示される非アクティブアプリケーションが選択される。そのため、個々のユーザの都合に応じた設定を行なうことができ、操作性の向上を図れる。
【００４１】
発光部１５２は、複数のＬＥＤからなり、光透過部１１８を通じて外部へ光を照射する。本実施形態において、発光部１５２からの光は趣向性を向上させる意味合いが強い。そのため、光透過部１１８に所定の着色を施すことにより各々のＬＥＤから発せられる光に色彩を付してもよい。
【００４２】
音声出力部１４２はスピーカで構成され、携帯電話１００で受信した通話相手の音声信号を音声に変えて出力する。またステレオスピーカ１５０は、着信音や、後述する第１表示部１１０とタッチセンサ１３２とによる入力インターフェースの操作音、ＴＶ音声、音楽、アラーム音等を出力する。
【００４３】
音声入力部１４４はマイク等の音声認識装置で構成され、通話時に入力されたユーザの音声を携帯電話１００内で処理可能な電気信号に変換する。
【００４４】
無線通信部２１０は、携帯電話網における基地局２１２（図２参照）と無線通信を行う。かかる無線通信としては、基地局２１２内でフレームを時分割した複数のタイムスロットをそれぞれ携帯電話１００のチャネルに割り当てて通信を行う時分割多重方式等がある。
【００４５】
（動作説明）
図３は第１施形態にかかる携帯電話１００の第１表示部１１０および第２表示部１２０のアクティブアプリケーション非選択時の表示を説明する図である。特に、図３（ａ）は待受画面が表示された状態の携帯電話１００を示す図、図３（ｂ）は図３（ａ）において第２表示部１２０に表示される非アクティブアプリケーション（第２表示領域）の数を減少させたときの状態を示す図、図３（ｃ）は図３(ｂ)において第２の表示領域１７０の表示を帯状からペナント状にした場合を示す図である。
【００４６】
図３（ａ）に示すように、アクティブアプリケーションを選択していない場合には（携帯電話１００起動時等）、携帯電話１００の表面側の第１表示部１１０に待受画面が表示され得る。なお、この待受画面は、操作部１３０の操作により解除される。
【００４７】
このとき、第２表示部１２０には、アクティブアプリケーションへ切り替えられ得る非アクティブアプリケーションに対応した第２の表示領域１７０が帯状（帯状表示領域）に複数配列して表示される。そのため、ユーザはアクティブアプリケーションとなる非アクティブアプリケーションを把握することができる。特に本実施形態では、この第２の表示領域１７０は、異なる態様で帯状に配列されているため、一目で表示されたアプリケーションを視認できる。さらに、この態様は、上述したように、スキンデータ記憶部２２２に記憶されたスキンデータを選択することで一括して変換できる。そのため、さらなる視認性の向上も図ることができる。
【００４８】
また、図３（ｂ）に示すように、操作部１３０の操作に基づいて、第２の表示領域１７０として表示される非アクティブアプリケーションの数を減少させると、それに対応して第２の表示領域１７０の各面積は増大する。当然ながら、第２の表示領域１７０として表示される非アクティブアプリケーションの数を増大させると、それに対応して第２の表示領域１７０の各面積は減少する。このように、非アプリケーションの数に応じて第２の表示領域１７０の各面積を異ならせることにより、物理的な面積が変化しない第２表示部１２０内に全ての第２の表示領域１７０を収容することができる。また、帯の面積により、第２表示部１２０に表示された第２の表示領域１７０として表示される非アクティブアプリケーションの概ねの数を把握することができる。
【００４９】
なお、図３（ｃ）に示すように、第２の表示領域１７０をペナント状（三角形）の表示領域として表示してもよい。また、これに限らず台形や六角形など、他の表示形態を採用してもよい。第２の表示領域１７０を帯状に表示することで、視認する際にスマートな印象を与える効果を奏するが、様々な表示形態を選択可能とすれば、さらに視認性を向上させることができる。
【００５０】
図４は、メール受信時または着信時のポップアップ表示を説明する図である。図４（ａ）に示すように、携帯電話１００がメールを受信した場合少なくとも第２表示部１２０（第２の表示領域１７０）にその旨をポップアップ表示させるとよい。これにより、裏面からでもメールの受信を確認できる。なお、図４（ｂ）に示すように、携帯電話１００の着信時に、少なくとも第２表示部１２０（第２の表示領域１７０）にその旨をポップアップ表示させてもよい。
【００５１】
図５は、第１実施形態にかかる携帯電話１００のアクティブアプリケーションの切替を説明する図である。図５に示すように、操作部１３０の操作により、第１表示部１１０にアクティブアプリケーションに基づく第１の表示領域１６０としてＰｈｏｎｅ（通話）が表示される。これに伴い、第２表示部１２０にも、第３の表示領域１８０が表示される。
【００５２】
この操作を繰り返すと、第１表示部にはＭａｉｌ（メール）、Ｍｕｓｉｃ（音楽）、Ｎａｖｉ（ナビゲーション）、Ｃａｍｅｒａ（カメラ）、Ｍｅｄｉａ（メディア）、再びＰｈｏｎｅの順にアクティブアプリケーションが切り替えられ、その間にはそれぞれに基づく第１の表示領域１６０、第３の表示領域１８０が表示される。
【００５３】
なお、第１表示部１１０に表示された第１の表示領域１６０の画面は、そのアプリケーションが未だ起動（実行）していない場合には、アプリケーションを起動（実行）させるためのアイコン（コマンド）を表示する。これは、操作部１３０の操作により起動（実行）する。また、既にアプリケーションが起動（実行）していた場合には、その状態に対応した動作画面を表示する。
【００５４】
図６は第１施形態にかかる携帯電話１００の第１表示部１１０および第２表示部１２０のアクティブアプリケーション選択時の表示を説明する図である。特に、図６(ａ)は、アクティブアプリケーションとして、メディアアプリケーション選択時を示す図、図６(ｂ)はアクティブアプリケーションとして、通話アプリケーション選択時を示す図である。
【００５５】
図６（ａ）に示すように、アクティブアプリケーションとしてメディアアプリケーションが選択された場合、第１の表示領域１６０、第３の表示領域１８０に表示される。タッチセンサ１３２と組み合わせられ入力を受け付ける第１の表示領域１６０には、メディアアプリケーションに関する主たる表示が成されなければならないが、第３の表示領域１８０にはその概略を示すだけでもよい。第２表示部１２０において第３の表示領域１８０は、第２の表示領域１７０よりも幅広に表示される。また、第３の表示領域１８０の端部に対応した光透過部１１８ａに、発光部１５２から光が導かれ、所定の色彩により発光される。故に、第２表示部１２０において第３の表示領域１８０は第２の表示領域１７０より目立つため、容易にアクティブアプリケーションを視認することができる。
【００５６】
なお、ここで図６(ａ)の状態より、操作部１３０の操作によりアクティブアプリケーションを切り替えると、図６(ｂ)に示すように通話アプリケーションが表示される。即ち、通話アプリケーションは、第２の表示領域１７０において削除され、第１の表示領域１６０と第３の表示領域１８０に新たに表示される。
【００５７】
図６（ｂ）に示すように、メディアアプリケーションが実行中であり、リスト画面にまわりこんだ場合、このアプリケーションが実行中であるという概略が表示される。故に、現在アクティブでないアプリケーションの動作状況も把握することが可能である。
【００５８】
また、アクティブアプリケーションが切り替わっても、第３の表示領域１８０の幅や態様を変えることなく、第３の表示領域１８０の端部に対応したＬＥＤを発光させるように構成してもよい。詳しくは、発光部１５２は新たな第３の表示領域１８０の端部に対応した光透過部１１８ａを介して、第３の表示領域を照光させる。発光部１５２は、第２の表示領域１７０（第３の表示領域１８０の候補でもある）の各領域に対応する複数のＬＥＤを備えている。
【００５９】
なお、図６では第２の表示領域１７０のいずれかが第３の表示領域１８０となる例について示しているが、第２の表示領域１７０として表示されていないアプリケーションが起動された場合には、新たな領域として第３の表示領域１８０を割り込ませてもよい。この場合においても、第３の表示領域１８０は動作画面や概略表示とすることができ、幅広としてもよく、ＬＥＤにて照光してもよい。また第３の表示領域１８０を割り込ませた場合には、既存の第２の表示領域１７０の幅を狭く表示することにより、全体的なバランスを取ることができる。
【００６０】
図７はタッチセンサ１３２を用いて休止状態からの復帰判定を行う例を示す図である。特に、図７（ａ）は復帰判定領域の例を示す図、図７（ｂ）は休止状態と復帰のフローチャートを示す図である。
【００６１】
制御部２００は、電力の消耗を抑えて稼動時間を延長するために、所定時間以上の操作がなかった場合には休止状態とし、通信機能など一部の主要機能を除いてアプリケーション動作を停止する。そして携帯電話１００の操作が開始されると、休止動作から復帰する。しかし、携帯電話１００はタッチセンサ１３２を用いて各種操作を行うが、タッチセンサ１３２は接触を検知するデバイスであるから、単にタッチセンサ１３２で接触を検知したことによって復帰を実行すると、かばんやポケットに入れていた場合にはほとんど休止状態に入れなくなり、電力消耗が早くなってしまう。
【００６２】
そこで本実施形態では、休止状態からの復帰を判定するための特定の領域を設定している。具体的には、例えば図７（ａ）に示すように、タッチセンサ１３２の右下に復帰判定領域１３４を設定する。そして復帰は、この復帰判定領域１３４のみに所定時間以上触れられているか否かによって判定する。また、電源ボタン１４６の押下によって復帰させてもよい。
【００６３】
休止状態と復帰の具体例について、図７（ｂ）のフローチャートに沿って説明する。最初に休止状態にあると仮定したとき、復帰判定領域１３４のみが所定時間以上触れられているか否かについて判断する（Ｓ１００）。条件を満たさなければ判断を継続し、条件を満たした場合には復帰する（Ｓ１０２）。このとき第１表示部１１０には待受画面を表示し、第２表示部１２０にはリスト画面を表示する。
【００６４】
待受画面においてアクティブアプリケーションの切替操作があったか、または切り替えたアクティブアプリケーションに対して操作が行われたか否かを判断する（Ｓ１０４）。何らかの操作が行われていた場合（Ｓ１０４:ＹＥＳ）にはアクティブアプリケーションの切替またはアクティブアプリケーションに対しての操作の実行を行い(Ｓ１０６）、処理が完了すると次の操作を待つ（Ｓ１０８）。復帰後に何らかの操作が行われなかった場合（Ｓ１０４:ＮＯ）、または操作待ちの状態（Ｓ１０８）で所定時間操作がなかったか否かを判定し（Ｓ１１０）、操作があった場合には処理を行い（Ｓ１０６）、操作がなければ休止状態となる（Ｓ１１２）。休止状態となった後は、ふたたび復帰判定領域１３４のみが所定時間以上触れられているか否かについて判断する（Ｓ１００）。
【００６５】
上記のように構成することにより、タッチセンサ１３２のみを有する携帯電話１００においても、高い精度で誤動作を防止することができる。なお、休止状態においては、復帰判定領域１３４の範囲を示す静止画または動画を表示するようにしてもよい。
【００６６】
以上説明したように、本実施形態にかかる携帯電話１００は、第２の表示領域１７０を異なる態様で複数配列して表示したことにより、良好な視認性の実現、および操作性の向上を図ることができる。
【００６７】
また上記実施形態においては端部部材１１４の端面に電源ボタン１４６を設けるよう説明したが、端部部材１１４、１１６そのものをスイッチ機構を有する電源ボタンとすることでもよい。
【００６８】
さらに端部部材１１４、１１６の端面には、文字入力のためのキーを設けてもよい。
【００６９】
[第２実施形態]
(外観構成)
本発明にかかる電子機器の第２実施形態である携帯電話３００について説明する。携帯電話３００は、第１実施形態の携帯電話１００と同様の外観構成を有する。
【００７０】
（機能構成）
図８は第２実施形態にかかる携帯電話３００の概略的な機能を示すブロック図である。図８に示すように、携帯電話３００は、第１表示部１１０、第２表示部１２０、操作部１３０、使用頻度検出部１３６、カメラ１４０、音声出力部１４２、音声入力部１４４、ステレオスピーカ１５０、発光部１５２、制御部４００、無線通信部２１０、記憶部２２０より構成される。
【００７１】
制御部４００は、中央処理装置（ＣＰＵ）を含む半導体集積回路により携帯電話３００全体を管理および制御する。具体的には、例えば、通話機能、文字入力機能、音楽再生機能、ＴＶ視聴機能などを担う記憶部２２０に格納されたアプリケーションや、通信網を介してアプリケーション中継サーバ（図示せず）から提供されるＷｅｂブラウザやスケジュール管理などのアプリケーションを実行する。制御部４００は、切替制御部４０２、表示制御部４０４を含んで構成される。
【００７２】
切替制御部４０２は、タッチセンサ１３２への操作をアクティブアプリケーションに送信する（現在の表示画面に対する入力操作）。また、タッチセンサ１３２への操作によりアクティブアプリケーションを非アクティブアプリケーションに切り替える（切替処理）。
【００７３】
表示制御部４０４は、第１表示部１１０および第２表示部１２０に表示させる画面を制御する。具体的には、第１表示部１１０に少なくともアクティブアプリケーションに基づく第１の表示領域１６０を表示させる。そして、第２表示部１２０にアクティブアプリケーションへ切り替えられ得る非アクティブアプリケーション（他のアプリケーション）に基づく第２の表示領域１７０を表示させる。第１実施形態の携帯電話１００と異なる点は、第３の表示領域１８０が表示されず、第２の表示領域１７０がスクロールすることである。
【００７４】
使用頻度検出部１３６は、当該携帯電話１００における各アプリケーションの使用頻度を検出して表示制御部２０４に送信する。そして、表示制御部２０４は、使用頻度の高いアプリケーションに基づいた第２の表示領域１７０を第２表示部１２０に表示させる。なお、使用頻度としては、所定の期間における使用回数が一定以上のものを検出してもよいし、所定の期間における上位ランキングでもよい。また、これに限らず直近のアプリケーション（履歴）を検出して、第２表示部１２０に第２の表示領域１７０として表示させてもよいし、ユーザの選択に応じて選択されたアプリケーションを第２表示部１２０に第２の表示領域１７０として表示させてもよい。
【００７５】
発光部１５２は、筐体内部より外部へ光を発する。なお、第１実施形態では発光部１５２は、第３の表示領域１８０を照光するとしたが、本実施形態ではユーザの設定により任意の第２の表示領域１７０の端部を照光することができる。
【００７６】
（動作説明）
図９は第２実施形態にかかる携帯電話３００のアクティブアプリケーションの切替を説明する図である。上述したように、アクティブアプリケーションを選択していない場合には（携帯電話３００起動時等）、携帯電話３００の表面側の第１表示部１１０に待受画面が表示され得る。この待受画面は、操作部１３０の操作をもって解除される。
【００７７】
本実施形態では、待受画面において、タッチセンサ１３２に接触して摺動を行なうと、その摺動の方向に第１の表示領域１６０および第２の表示領域１７０がスクロールする（図１１参照）。
【００７８】
例えば、スクロール方向５０１に摺動した場合、アクティブアプリケーションとしてＰｈｏｎｅが選択され、第１の表示領域１６０に表示される。また、Ｐｈｏｎｅを示す第２の表示領域が削除される。さらに、この方向に摺動を繰り返すと、Ｍａｉｌ（メール）、Ｍｕｓｉｃ（音楽）、Ｎａｖｉ（ナビゲーション）、Ｃａｍｅｒａ（カメラ）、Ｍｅｄｉａ（メディア）、再びＰｈｏｎｅの順（スクロール方向５０１順）にアクティブアプリケーションが切り替えられる。アクティブアプリケーションの切替に伴って、第２の表示領域１７０もスクロールする。
【００７９】
さらに詳述すると、アクティブアプリケーションをスクロール方向５０１にスクロールさせると、第２の表示領域１７０のうちスクロール方向５０１の端（上端）に位置していたものが表すアプリケーションに切り替えられる。第１表示部１１０に新たにそのアプリケーションが表示されるに従って、第２表示部１２０ではそのアプリケーションを表す帯がスクロール方向５０１にスクロールさせつつ削除される。また、第１表示部１１０に表示されていたアプリケーション（アクティブアプリケーション）をスクロール方向５０１にスクロールさせつつ、第２表示部１２０のスクロール方向５０１の逆の端（下端）に追加する。このような動作画面の切替は、連続的かつ滑らかに行われる。そのため、裏面の第２の表示領域１７０が現すアプリケーションを回転させて表面に持ってきて、第１表示部１１０に表示させるかのように動作する。したがって、あたかも筒を回転させているかのように、多数のアプリケーションを次々に切り替えることができる。なお、ここではスクロール方向５０１を例に挙げて説明したが、逆の摺動の方向に対応するスクロール方向５０２でも当然よい。
【００８０】
図１０は第２施形態にかかる携帯電話３００の第１表示部１１０および第２表示部１２０のアクティブアプリケーション選択時の表示を説明する図である。図１０（ａ）に示すように、例えば、アクティブアプリケーションとしてメディアアプリケーションを選択した場合、第２の表示領域１７０はスクロールされ、第２表示部１２０の両端にはＰｈｏｎｅとＣａｍｅｒａが配置される。
【００８１】
また、図１０（ｂ）に示すように、ここでさらにスクロール方向５０１に摺動すると、アクティブアプリケーションとして、通話アプリケーションが選択される。この場合第２表示部１２０の両端にはＭａｉｌとＭｅｄｉａが配置される。
【００８２】
このように、態様の異なる帯をスクロールさせ、アクティブアプリケーションを切り替える操作としたことにより、操作性の向上を図ることができる。
【００８３】
なお、本実施形態のように、第１表示部１１０に加え、異なる面に配置される第２表示部１２０をさらに備える場合、表示制御部２０４は第１の表示領域１６０を第１表示部１１０に表示させ、第２の表示領域１７０を第２表示部１２０に表示させるとともに、第２の表示領域１７０のいずれかを第１表示部１１０に表示していてもよい。すなわち、前面の第１表示部１１０にも、第２の表示領域１７０である帯を表示してもよい。
【００８４】
図１１は、タッチセンサ１３２への接触の摺動によりアクティブアプリケーションの切替を行う様子を示す図である。図１１に示すように、本実施形態ではタッチセンサ１３２を両手の親指で摺動してアクティブアプリケーションの切替を行うことを想定している。これにより、容易に操作を行なうことができる。
【００８５】
図１２はアクティブアプリケーションの他の切替方法を説明する図である。図１２に示すように、第１表示部１１０に第２の表示領域１７０を表示して、この第２の表示領域１７０を摺動することにより切替を行なってもよい。即ち切替制御部４０２は、所望のアプリケーションを表す帯を基点として、接触して摺動することにより（図１２（ａ）参照）、摺動の基点にて表示される帯に対応する非アクティブアプリケーションをアクティブアプケーションに切り替えることができる（図１２（ｂ）参照）。これにより、所望のアプリケーションまで、タッチセンサ１３２への接触の摺動を繰り返すまでもなく簡略に切り替えて操作することができる。なお、第１表示部１１０に表示させる第２の表示領域１７０は、第２表示部１２０に表示される非アクティブアプリケーションの一部でもよいし、別途選択されたものでもよい。
【００８６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００８７】
例えば、上記実施形態においては第１表示部１１０および第２表示部１２０の端辺を湾曲させて互いに連接または連続するものとして例示したが、平板状の第１表示部１１０および第２表示部１２０を用いてもよい。この場合においてアクティブアプリケーションの画面とリスト画面の視覚的な連続性は減衰するが、その点を除いて多機能化に対する操作性の向上その他の本発明の効果は損なうことなく得ることができる。
【００８８】
また上記実施形態ではタッチセンサ１３２を第１表示部１１０に重畳するとしたが、これに限らず、第２表示部１２０にも重畳するとしてもよい。
【００８９】
また上記実施形態ではＰｈｏｎｅ、Ｍａｉｌ、Ｍｕｓｉｃ、Ｎａｖｉ、Ｃａｍｅｒａ、Ｍｅｄｉａの機能を有すると説明したが、これらの一部のみを有していてもよく、さらに例示以外の機能（例えばスケジュール機能など）を有していてもよい。
【００９０】
また上記実施形態では本発明にかかる電子機器として携帯電話、ＰＤＡを例に用いて説明したが、携帯電話の他にコンピュータ、デジタルカメラ、音楽プレイヤー、カーナビゲーション、テレビジョン、ゲーム機、ＤＶＤプレイヤー、およびリモートコントローラなども含まれる。
【産業上の利用可能性】
【００９１】
本発明は、タッチセンサを情報入力手段とする電子機器に利用することができる。
【符号の説明】
【００９２】
１００、３００、…携帯電話、１１４…端部部材、１１６…端部部材、１１８…光透過部、１１０…第１表示部、１２０…第２表示部、１３０…操作部、１３２…タッチセンサ、１３２ａ…外縁領域、１３４…復帰判定領域、１３６…使用頻度検出部、１４０…カメラ、１４２…音声出力部、１４４…音声入力部、１４６…電源ボタン、１４８（１４８ａ、１４８ｂ、１４８ｃ、１４８ｄ）…放音口、１５０…ステレオスピーカ、１５２…発光部、１６０…第１の表示領域、１７０…第２の表示領域、１８０…第３の表示領域、２００、４００…制御部、４０２…切替制御部、２０４、４０４…表示制御部、２１０…無線通信部、２１２…基地局、２２０…メモリ、
【図１】
2010231464.tif 000003
【図２】
2010231464.tif 000004
【図３】
2010231464.tif 000005
【図４】
2010231464.tif 000006
【図５】
2010231464.tif 000007
【図６】
2010231464.tif 000008
【図７】
2010231464.tif 000009
【図８】
2010231464.tif 000010
【図９】
2010231464.tif 000011
【図１０】
2010231464.tif 000012
【図１１】
2010231464.tif 000013
【図１２】
2010231464.tif 000014